(57)【要約】【課題】ヒューズの抜き取りに余り力を必要とせず、抜き取り作業の効率が良好なヒューズを提供する。【解決手段】本発明のヒューズ１は、ヒューズ本体３２と、該ヒューズ本体を上方開口部から収容保持する絶縁樹脂製のハウジング３３と、該ハウジングの前記上方開口部を覆う絶縁樹脂製のカバー３４とを備えている。そして、ハウジングを引き抜くための引き抜き治具の係止用爪部４７に対応する係止部５０をハウジングの側面に設けられている。したがって、引く抜き治具の係止用爪部がハウジングに確実に固定され、抜き取り作業時に比較的大きな力を必要とせず、抜き取り作業を効率良く行なうことができる。【選択図】          図１
2004281078.tif 000002
【特許請求の範囲】
【請求項１】
ヒューズ本体と、該ヒューズ本体を上方開口部から収容保持する絶縁樹脂製のハウジングと、該ハウジングの前記上方開口部を覆う絶縁樹脂製のカバーとを備えたヒューズであって、
前記ハウジングを引き抜くための引き抜き治具の係止用爪部に対応する係止部を前記ハウジングの側面に設けたことを特徴とするヒューズ。
【請求項２】
前記係止部は、前記ハウジングの側面上部に設けられ、該ハウジングの長手方向軸線と直角方向に配置された第１の突出部と、該第１の突出部の両端から前記第１の突出部に直角に延びており、前記ハウジングの長手方向軸線と平行になるように配置された２つの第２の突出部とを有することを特徴とする請求項１に記載のヒューズ。
【発明の詳細な説明】
【０００１】
【発明の属する技術分野】
本発明は、自動車等に搭載される電機機器中の電気回路を保護するために用いられるヒューズに関し、特にヒューズの抜き取り作業を容易にするヒューズのハウジング構造に関する。
【０００２】
【従来の技術】
近年、自動車には様々な電気機器が搭載されており、この電気機器中の電気回路に使用されている様々な電子部品を保護するために多くのヒューズがヒューズボックス等に収納されている。
図７及び図８に示した従来のヒュージブルリンク１は、金属板で形成されたヒューズ本体２と、このヒューズ本体２を矩形状の上方開口部から収容保持する絶縁樹脂製のハウジング３と、このハウジング３の上方開口部を覆う絶縁樹脂製のカバー４とから構成された、所謂、差し込み式ヒューズである。
【０００３】
前記ヒューズ本体２は、図８に示したように、溶断部１０ａを有する略帯状の可溶導体部１０と、この可溶導体部１０の両側に設けられてヒューズ装着部１３側の回路における相手側タブ端子１５を嵌合接続する一対の雌端子部１１，１１とを金属板で一体成形したものである。
前記カバー４は、略矩形板状の蓋体５と、該蓋体５の相対する端縁に設けられた一対のロック片６，６とを、透明プラスチックにより一体成形したものである。前記ロック片６に対応するハウジング３の周壁には、係止用突起７が突設されており、可撓性を有するこれら一対のロック片６，６を係止することで、該ハウジング３の上方開口部を覆った状態にカバー４をロックする構造となっている。
【０００４】
そして、ヒュージブルリンク１は、ヒューズボックス等の電気接続箱に形成されたヒューズ装着部１３に装着され、ヒューズ本体２が相手方タブ端子１５と電気的に接続された状態となる。前記ヒューズ装着部１３には、装着時の挿入案内と共に装着後のヒュージブルリンク１のブレ等を防止するために、前記ハウジング３を支持するヒューズガイド壁１４が設けられている。
【０００５】
ところで、ヒューズボックス等の電気接続箱は、小型・軽量化やコストダウンの要求が高まっており、これに伴ってヒューズの小型・軽量化も望まれている。
そこで、例えば、図９に示したヒュージブルリンク２１にように、ヒューズ本体２２及びハウジング２３を小型化すれば、図８に示した従来のヒュージブルリンク１に較べて大幅に小型・軽量化されて高さ寸法が削減されることにより、電気接続箱の小型・軽量化も達成される。
なお、前記ヒューズ本体２２は、可溶導体部２８が溶断した際の二次ショート等を防止しなければならず、一対の雌端子部２９，２９の間隔をさらに狭めることが難しい。
【０００６】
そこで、ヒューズ本体２２及びハウジング２３の水平方向の寸法及び形状は、上記ヒュージブルリンク１のヒューズ本体２及びハウジング３の水平方向の寸法及び形状と実質的に同じであり、ハウジング２３の周壁に突設された係止用突起２７にロック片２６が係止されてロックされるカバー２４は、ヒュージブルリンクのカバー４と同形状とされている。
【０００７】
また、下記特許文献１には、上方開口部から挿入されたヒューズ本体が絶縁樹脂製のハウジング内に収容保持された差し込み式ヒューズ本体が開示されている。両雌端子部における押さえばねのばね性が向上を図ると共に、抵抗を低減して高定格に対応できる差込式ヒューズが開示されている。
【０００８】
さらに、下記特許文献２には、ハウジングの上部開口部に、定格電流値を表示した透明プラスチック製のカバーを被せてロックする構造であり、カバーの内面に定格電流値に応じて異なる位置にセンサーで検知可能な凹部または凸部が設けられているヒュージブルリンクが開示されている。
【０００９】
【特許文献１】
特開２００１−３２５８７５号公報
【特許文献２】
特開平８−１８５７９７号公報
【００１０】
【発明が解決しようとする課題】
しかしながら、上述したカバー、ハウジング、ヒューズ本体からなる従来のヒュージブルリンクにおいて、ハウジングを抜き取ろうとするとき、ハウジング側面に抜き治具の係止部に対応する係止部が設けられていないために、外れ易く、抜き取り時に比較的大きな力が必要であり、抜き取り作業の効率が悪いという問題があった。
また、抜き取るために大きな力がハウジングの側面に加えられたときに、ハウジングが破損する虞があるという問題があった。
【００１１】
本発明の目的は、ヒューズの抜き取りに余り力を必要とせず、良好な抜き取り作業を効率良く行なうことができるヒューズを提供することにある。
【００１２】
【課題を解決するための手段】
本発明の請求項１記載のヒューズは、ヒューズ本体と、該ヒューズ本体を上方開口部から収容保持する絶縁樹脂製のハウジングと、該ハウジングの前記上方開口部を覆う絶縁樹脂製のカバーとを備えたヒューズであって、前記ハウジングを引き抜くための引き抜き治具の係止用爪部に対応する係止部を前記ハウジングの側面に設けたことを特徴とする。
【００１３】
前記構成のヒューズによれば、引き抜き治具の係止用爪部に対応する係止部をハウジングの側面に設けたことで、引き抜き治具とヒューズとが確実に係合され、抜き取りにあまり大きな力を必要としないので、ハウジングを破損させることなく、抜き取り作業を効率良く行なうことができる。
【００１４】
また、請求項２記載のヒューズは、前記係止部が、前記ハウジングの側面上部に設けられ、該ハウジングの長手方向軸線と直角方向に配置された第１の突出部と、該第１の突出部の両端から前記第１の突出部に直角に延びており、前記ハウジングの長手方向軸線と平行になるように配置された２つの第２の突出部とを有することを特徴とする請求項１に記載のヒューズである。
【００１５】
前記構成のヒューズによれば、前記係止部が、第１の突出部と、第１の突出部の両端から前記第１の突出部に直角に延びており、前記ハウジングの長手方向軸線と平行になるように配置された２つの第２の突出部とを有することにより、第１の突起部が単独で設けられた場合よりも強度が増大し、ハウジングを引き抜き治具で引き抜く場合に比較的大きな力が加えられても、係止部が破損することはない。
【００１６】
【発明の実施の形態】
以下、本発明に係るヒューズの一実施形態を図１乃至図６に基づいて詳細に説明する。図１は本発明の一実施形態に係るヒュージブルリンク（ヒューズ）の分解斜視図、図２は図１における蓋体を取り付けたヒュージブルリンクの全体斜視図、図３は図２におけるヒュージブルリンクと引き抜き治具との係合前の全体斜視図、図４は図３におけるヒュージブルリンクと引き抜き治具との係合後の全体斜視図、図５及び図６は、図３及び図４におけるヒュージブルリンクをハウジングから引き抜く方法を説明する断面図である。
【００１７】
図１に示すように、本実施形態のヒュージブルリンク１は、金属板で形成されたヒューズ本体３２と、該ヒューズ本体３２を矩形状の上方開口部４５から収容保持する絶縁樹脂製のハウジング３３と、該ハウジング３３の上方開口部４５を覆う絶縁樹脂製のカバー３４とから構成された、所謂、差込式ヒューズである。前記ヒューズ本体３２は、溶断部４０ａを有する略帯状の可溶導体部４０と、この可溶導体部４０の両端に設けられてヒューズ装着部１３側の回路における相手側タブ端子１５を嵌合接続する一対の雌端子部４１，４１とを金属で一体形成したものである。
【００１８】
図１及び図２に示したように、前記カバー３４は、略矩形板状の蓋体３５と、該蓋体３５の対向する端縁に垂設された一対のロック片３６，３６とをプラスチックにより一体成形したものである。なお、このカバー３４のロック片３６は、図７に示した上記カバー４のロック片に比べて、著しく短く構成されている。
前記ロック片３６に対応する前記ハウジング３３の周壁上部には、係止用突起４６が突設されており、一対のロック片３６，３６を係止することで、該ハウジング３３の上方開口部４５を覆った状態にカバー３４をロックする構造となっている。
【００１９】
また、図２及び図３に示すように、前記ハウジング３３を引き抜くための引き抜き治具３８の係止用爪部４７に対応する係止部５０がハウジング３３の側面に設けられている。引き抜き治具３８の両側から２本の脚部３９が下方に垂下しており、この脚部３９は外側の外側脚部３９ａとこの外側脚部３９ａの内側に配置された内側脚部３９ｂから形成されている。前述した係止用爪部４７は、この内側脚部３９ｂの下方内端に対向するように形成されている。
【００２０】
また、係止部５０がハウジング３３の側面上部に設けられ、このハウジング３３の長手方向軸線と直角方向に配置された第１の突出部５１と、第１の突出部５１の両端から前記第１の突出部５１に直角に延び、ハウジングの長手方向軸線と平行になるように配置された２つの第２の突出部５２，５２とが形成されている。
【００２１】
図１及び図２に示すように、上記構成のヒュージブルリンク１は、先ずヒューズ本体３２を上方開口部４５からハウジング３３内に挿入して収容保持させてから、該ハウジング３３の上方開口部４５をカバー３４の蓋体３５で覆うと共に、該蓋体３５の外面を押圧付勢し、各ロック片を係止用突起４６に係止させる。  そして、図３に示すように、組み立てられたヒユージブルリンク１のハウジング３３がリレーボックス等の電気接続箱に形成されたヒューズ装着部１３に装着される。
【００２２】
次に、本実施形態に係るヒュージブルリンクの引き抜き治具を使っての引き抜き手順を図３乃至図６に基づいて説明する。
図３及び図５（Ａ）に示すように、引き抜き治具３８を下方に向けて移動させ、引き抜き治具３８の内側脚部３９ｂの係止用爪部４７とヒュージブルリンク１のハウジング３３の係止部５０とを係合させる。この係合の際、図４及び図５（Ｂ）に示すように、係止用爪部４７が突出部５１と当接した後、係止用爪部４７が外側に撓み、係止部５０が突出部５１（図２参照）を乗り越える。
【００２３】
このときに、外側脚部３９ａが内側脚部３９ｂを押す押圧力により、内側脚部３９ｂが元に戻ると同時に、内側脚部３９ｂの係止用爪部４７とヒュージブルリンク１のハウジング３３の係止部５０とが係合する。そして、外側脚部３９ｂの下部は、この外側脚部３９ｂの下部を受けるためにヒューズ装着部１３に設けられた凹所６０（図６（Ｂ）参照）と嵌合する。
【００２４】
次に、図６（Ａ），（Ｂ）に示すように、引き抜き治具３８を上方に引き上げることによって、引き抜き治具３８とヒュージブルリンク１とが係合したたまま、即ち引き抜く治具３８の内側脚部３９ｂの係止用爪部４７とヒュージブルリンク１のハウジング３３の係止部５０とが係合したままヒュージブルリンク１がヒューズ装着部１３から引き抜かれる。
したがって、ハウジング３３に引く抜き治具３８の係止用爪部４７に対応する係止部５０を側面に設けたことで、ヒュージブルリンク１に確実に固定され、ヒュージブルリンク１を容易に抜き取ることができる。
【００２５】
【発明の効果】
以上説明したように本発明の請求項１記載のヒューズによれば、ハウジングを引き抜くための引き抜き治具の係止用爪部に対応する係止部がハウジングの側面に設けられているので、引き抜き治具とヒューズとが確実に係合され、抜き取りにあまり大きな力を必要としないので、ハウジングを破損させることなく、抜き取り作業を効率良く行なうことができる。
【００２６】
また、請求項２記載のヒューズによれば、係止部が第１の突出部と、第１の突出部の両端から第１の突出部に直角に延びており、ハウジングの長手方向軸線と平行になるように配置された２つの第２の突出部とを有しているので、第１の突起部が単独で設けられた場合よりも強度が増大し、ハウジングを引き抜き治具で引き抜く場合に比較的大きな力が加えられても、係止部が破損することはない。
【図面の簡単な説明】
【図１】本発明の一実施形態に係るヒュージブルリンク（ヒューズ）の全体斜視図である。
【図２】図１における蓋体を取り付けたヒュージブルリンクの全体斜視図である。
【図３】図２におけるヒュージブルリンクと引き抜き治具との係合前の全体斜視図である。
【図４】図３におけるヒュージブルリンクと引き抜き治具との係合後の全体斜視図である。
【図５】図３におけるヒュージブルリンクをハウジングから引き抜く方法を説明する断面図であり、（Ａ）はハウジングに引き抜き治具を取り付ける前の断面図であり、（Ｂ）はハウジングに引き抜き治具を取り付けた後の断面図である。
【図６】図４におけるヒュージブルリンクをハウジングから引き抜く方法を説明する断面図であり、（Ａ）はハウジングから引き抜き治具を引き抜く前の断面図であり、（Ｂ）はハウジングから引き抜き治具を引き抜いた後の断面図である。
【図７】従来のヒュージブルリンクの全体斜視図である。
【図８】図７におけるヒューズをヒューズ装着部に装着した状態を示す部分断面図である。
【図９】ヒューズを小型化した際の課題を説明するための断面図である。
【符号の説明】
１        ヒュージブルリンク（ヒューズ）
３２    ヒューズ本体
３３    ハウジング
３４    カバー
３５    蓋体
３６    ロック片
４５    上方開口部
４６    係止用突起
４７    係止用爪部
５０    係止部
５１    第１の突出部
５２    第２の突出部
【図１】
2004281078.tif 000003
【図２】
2004281078.tif 000004
【図３】
2004281078.tif 000005
【図４】
2004281078.tif 000006
【図５】
2004281078.tif 000007
【図６】
2004281078.tif 000008
【図７】
2004281078.tif 000009
【図８】
2004281078.tif 000010
【図９】
2004281078.tif 000011